(57)【要約】【課題】他人によって容易にロック状態を解除できない電子機器を提供する。【解決手段】電子機器は、タッチ操作が可能なタッチスクリーンと、タッチ操作がなされていても所定処理を実行しないロック状態に設定できるロック状態設定部と、を有し、前記タッチスクリーンは、前記ロック状態時に、ロック状態の解除方法を表示し、前記ロック状態の解除方法に従った第一の操作を検出した場合、第一の画面を表示し、前記ロック状態の解除方法と異なる第二の操作を検出した場合、第二の画面を表示する。【選択図】図５
2015026342.tif 000002
【特許請求の範囲】
【請求項１】
タッチ操作が可能なタッチスクリーンと、
タッチ操作がなされていても所定処理を実行しないロック状態に設定できるロック状態設定部と、を有する電子機器であって、
前記タッチスクリーンは、
前記ロック状態時に、ロック状態の解除方法を表示し、
前記ロック状態の解除方法に従った第一の操作を検出した場合、第一の画面を表示し、
前記ロック状態の解除方法と異なる第二の操作を検出した場合、第二の画面を表示する、電子機器。
【請求項２】
前記第一の画面は、ホーム画面であり、
前記第二の画面は、前記ロック状態に設定される前に前記表示部に表示されていた画面である、請求項１記載の電子機器。
【請求項３】
前記第二の操作をユーザにより設定可能なロック操作設定部をさらに有する、請求項１または２記載の電子機器。
【請求項４】
前記タッチスクリーンは、前記ロック状態時に複数のオブジェクトを表示し、
前記第二の操作は、前記複数のオブジェクトのうち１のオブジェクトに対するタッチ操作である、請求項１乃至３のいずれか記載の電子機器。
【請求項５】
前記１のオブジェクトは、現在時刻表示、電波受信状態表示または電池の残電池容量表示である、請求項４記載の電子機器。
【請求項６】
ハードキーをさらに有し、
前記ロック状態時において、前記ハードキーに対する操作により、前記１のオブジェクトはタッチ操作可能となる、請求項４または５記載の電子機器。
【請求項７】
ハードキーをさらに有し、
前記ロック状態時において、前記ハードキーが押下されたとき、前記１のオブジェクトの表示を変える、請求項４乃至６のいずれか記載の電子機器。
【請求項８】
タッチ操作が可能なタッチスクリーンと、
タッチ操作がなされていても所定処理を実行しないロック状態に設定できるロック状態設定部と、を有する電子機器の制御方法であって、
前記ロック状態時においてロック状態の解除方法が表示されているときに、
前記ロック状態の解除方法に従った第一の操作が検出されたかどうかを検出する第一ステップと、
前記ロック状態の解除方法と異なる第二の操作が検出されたかどうかを検出する第二のステップと、
を有する、電子機器の制御方法。
【発明の詳細な説明】
【技術分野】
【０００１】
本発明は、携帯端末などの電子機器に関し、特に、ロック状態設定および解除が可能な電子機器に関する。
【背景技術】
【０００２】
従来、ロック状態に設定することができる電子機器は広く知られており、この種の装置の一例が特許文献１に開示されている。特許文献１の携帯端末は、ロック状態を解除するための操作がオブジェクトの表示によって促されるため、使用者は、その利用する言語に関係なくロック状態の解除方法を認識することができる。
【先行技術文献】
【特許文献】
【０００３】
【特許文献１】特開２０１２−７０２９７号公報
【発明の概要】
【発明が解決しようとする課題】
【０００４】
しかし近年、電子機器へのプライバシー保護が重要となってきている。他人が勝手にタッチスクリーン式の電子機器を使おうとしたとき、セキュリティロック設定がされておらず、タッチ操作に対するロックがかかっている場合、他人は、容易に電子機器のデータを確認できる。そのため、例えば、タッチ操作をロックするロック状態に設定する前の表示画面を他人に確認されてしまうという不利益があった。
【０００５】
以上より、本発明の目的は、他人によって容易にロック状態を解除できない電子機器を提供することである。
【課題を解決するための手段】
【０００６】
本発明の一例である電子機器は、タッチ操作が可能なタッチスクリーンと、タッチ操作がなされていても所定処理を実行しないロック状態に設定できるロック状態設定部と、を有する電子機器であって、前記タッチスクリーンは、前記ロック状態時に、ロック状態の解除方法を表示し、前記ロック状態の解除方法に従った第一の操作を検出した場合、第一の画面を表示し、前記ロック状態の解除方法と異なる第二の操作を検出した場合、第二の画面を表示する。
【０００７】
前記第一の画面は、ホーム画面であり、前記第二の画面は、前記ロック状態に設定される前に前記表示部に表示されていた画面であってもよい。
【０００８】
前記電子機器は、前記第二の操作をユーザにより設定可能なロック操作設定部をさらに有してもよい。
【０００９】
前記タッチスクリーンは、前記ロック状態時に複数のオブジェクトを表示し、前記第二の操作は、前記複数のオブジェクトのうち１のオブジェクトに対するタッチ操作であってもよい。
【００１０】
前記１のオブジェクトは、現在時刻表示、電波受信状態表示または電池の残電池容量表示であってもよい。
【００１１】
前記電子機器は、ハードキーをさらに有し、前記ロック状態時において、前記ハードキ
ーに対する操作により、前記１のオブジェクトはタッチ操作可能であってもよい。
【００１２】
前記電子機器は、ハードキーをさらに有し、前記ロック状態時において、前記ハードキーが押下されたとき、前記１のオブジェクトの表示を変えてもよい。
【００１３】
タッチ操作が可能なタッチスクリーンと、タッチ操作がなされていても所定処理を実行しないロック状態に設定できるロック状態設定部と、を有する電子機器の制御方法であって、該制御方法は、前記ロック状態時においてロック状態の解除方法が表示されているときに、前記ロック状態の解除方法に従った第一の操作が検出されたかどうかを検出する第一ステップと、前記ロック状態の解除方法と異なる第二の操作が検出されたかどうかを検出する第二のステップと、を有する。
【発明の効果】
【００１４】
本発明の一例である電子機器とその制御方法は、ロック状態の解除方法に従った第一の操作を検出した場合、第一の画面を表示し、ロック状態の解除方法と異なる第二の操作を検出した場合、第二の画面を表示する。これにより、もし他人がこの電子機器を使用する場合に、他人をロック状態の解除方法にしたがって第一の操作をさせて第一の画面に誘導でき、ユーザは、第二の操作により、例えば、ロック設定の前に表示させていた画面などの第二の画面に表示を遷移させることができる。
【図面の簡単な説明】
【００１５】
【図１】電子機器の外観を示す前面図である。
【図２】電子機器の電気的構成を示すブロック図である。
【図３】（ａ）は電子機器のロック状態解除の第一の操作の一例を示す図であり、（ｂ）は前記第一の操作により解除された後の画面（ホーム画面）を示す図である。
【図４】（ａ）は電子機器のロック状態解除の第二の操作の一例を示すであり、（ｂ）は前記第二の操作により解除された後の画面（受信メール画面）を示す図である。
【図５】（ａ）および（ｂ）は電子機器のロック状態解除の第二の操作の例を示す図である。
【図６】（ａ）は電子機器のロック状態解除の第一の操作の一例を示す図であり、（ｂ）は電子機器のロック状態解除の第二の操作の例を示す図である。
【図７】（ａ）および（ｂ）は、電子機器のロック状態解除の第二の操作の登録例を示す図である。
【図８】（ａ）および（ｂ）は電子機器のロック状態解除の第二の操作の登録例を示す図である。
【図９】電子機器のロック状態解除の第二の操作の例を示す図である。
【図１０】電子機器のロック状態解除の第二の操作をユーザに知らせる例を示す図である。
【図１１】ロック状態の設定処理を示すフローチャートである。
【図１２】ロック状態解除処理を示すフローチャートである。
【発明を実施するための形態】
【００１６】
図１は、本実施の形態の電子機器の一例である携帯電話機１０の表面の外観を示す外観図である。図１を参照して、携帯電話機１０は、ストレート型の形状をしており、平面矩形の筐体Ｃを有する。マイク１８は、筐体Ｃに内蔵され、内蔵されたマイク１８に通じる開口ＯＰ２は筐体Ｃの長さ方向における一方の表面に設けられる。図示しないスピーカ２２は、筐体Ｃに内蔵されている。内蔵されたスピーカ２２に通じる開口ＯＰ１は、筐体Ｃの長さ方向における他方の表面に設けられる。ディスプレイ３０は、モニタ画面が筐体Ｃの表面側から見えるように取り付けられる。ディスプレイ３０にはLCDモニタが利用され
るが、有機ELパネルなどの他の表示装置が利用されてもよい。そして、ディスプレイ３０
にはタッチパネル３８が設けられ、タッチスクリーン１を形成している。なお、本実施の形態において、以後で述べられるタッチスクリーン１は、裏面にタッチパネル３８が設けられたディスプレイ３０のことを示す。本実施の形態において、タッチスクリーン１は上述のようなディスプレイ３０およびタッチパネル３８から構成される例に限らない。例えば、タッチパネル３８を備えずともタッチ操作を検出する機能を有するディスプレイも含む。
【００１７】
キー入力部２６は、音量キー２６ａおよびｂ、電源キー２６ｃ、押すことでホーム画面に表示を遷移させるホームキー２６ｄなどを含む。そして、これらのキーは筐体Ｃの表面または側面に設けられる。
【００１８】
たとえば、使用者は、ダイヤルキーが表示されたタッチスクリーン１に対して、タッチ操作を行うことで電話番号を入力し、通話キーが表示されたタッチスクリーン１に対してタッチ操作を行うことで電話発信操作を行う。そして、使用者は、通話が終了すると、終話キーが表示されたタッチスクリーン１によって通話終了操作を行う。また、使用者は、タッチスクリーン１に表示されたソフトキーおよびメニューに対してタッチ操作を行うことで、メニューの選択や確定を行う。そして、使用者は、電源キー２６ｃを長押しすることで携帯電話機１０の電源をオン／オフする。
【００１９】
図２を参照して、この実施例の携帯電話機１０は、CPUまたはコンピュータと呼ばれる
プロセッサ２４を含む。また、このプロセッサ２４には、無線通信回路１４、Ａ／Ｄ１６、Ｄ／Ａ２０、キー入力部２６、表示ドライバ２８、フラッシュメモリ３２、ＲＡＭ３４およびタッチパネル制御回路３６が接続される。無線通信回路１４にはアンテナ１２が接続され、Ａ／Ｄ１６にはマイク１８が接続され、Ｄ／Ａ２０にはアンプ（図示せず）を介してスピーカ２２が接続される。また、表示ドライバ２８には、ディスプレイ３０が接続される。そして、タッチパネル制御回路３６にはタッチパネル３８が接続される。
【００２０】
プロセッサ２４は、制御用のICであり、携帯電話機１０の全体制御を司る。また、ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００２１】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００２２】
表示ドライバ２８は、プロセッサ２４の指示の下、当該表示ドライバ２８に接続されたディスプレイ３０の表示を制御する。また、表示ドライバ２８は表示する画像データを一時的に記憶するVRAMを含む。そして、プロセッサ２４は、ディスプレイ３０に表示する画像データを、このVRAMに記憶させる。
【００２３】
タッチパネル３８は、指などの対象物が表面に接近して生じた電極間の静電容量の変化を検出する静電容量方式で、たとえば１本または複数本の指がタッチパネル３８に触れたことを検出する。また、タッチパネル３８は、ディスプレイ３０の画面内で、任意の位置を指示するためのポインティングデバイスである。たとえば、タッチパネル３８は、その表面を指で、押したり、撫でたり（擦ったり）、触られたりすることにより操作されると、その操作を検出する。そして、タッチパネル制御回路３６は、タッチパネル３８に指が触れると、その指の位置を特定し、操作された位置を示す座標のデータをプロセッサ２４
に出力する。つまり、使用者は、タッチパネル３８の表面を指で、押したり、撫でたり、触れたりすることによって、操作の方向や図形などを携帯電話機１０に入力することができる。
【００２４】
ここで、使用者が、タッチスクリーン１の表面を指で触れる操作を指が「タッチ」と言うことにする。一方、タッチパネル３８から指を離す操作を「タッチを離す」または「リリース」と言うことにする。タッチによって示された座標を「タッチ点（第１位置）」、リリースによって示された座標を「リリース点（第２位置）」と言うことにする。また、タッチパネル３８の表面を撫でる操作を「スライド」、「スライドタッチ操作」または「接触部材を接触させて移動する操作」と言うことにする。さらに、使用者がタッチパネル３８の表面をタッチして、続けてリリースする操作を「タッチアンドリリース」と言うことにする。そして、タッチ、リリース、スライドおよびタッチアンドリリースなどのタッチパネル３８に対して行う操作を、まとめて「タッチ操作（接触）」と言うことにする。
【００２５】
なお、タッチ操作は指だけに限らず、導電体が先端に取り付けられたタッチペンなど、その他の物体によって行われてもよい。また、タッチパネル３８の検出方式には、表面型の静電容量方式が採用されてもよいし、抵抗膜方式、超音波方式、赤外線方式および電磁誘導方式などであってもよい。また、タッチ操作は、指がタッチスクリーン１の表面に触れていなくても、タッチ操作と検出するための所定のしきい値を超えた場合はタッチ操作とみなす。
【００２６】
無線通信回路１４は、CDMA方式での無線通信を行うための回路である。たとえば、使用者がキー入力部２６を用いて電話発信を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００２７】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００２８】
また、相手の電話機からの発呼信号がアンテナ１２によって受信されると、無線通信回路１４は、電話着信（着呼と言うこともある。）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音を出力させる。さらに、プロセッサ２４は電話着信をユーザに通知するために、携帯電話機１０を振動させたり、図示しないLEDを発光させ
たりする。
【００２９】
そして、使用者が、通話キーを用いて応答操作を行うと、無線通信回路１４は、プロセッサ２４の指示の下、電話着信処理を実行し、通信可能状態が確立され、プロセッサ２４は上述した通常の通話処理を実行する。
【００３０】
また、通話可能状態に移行した後に終話キーによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００３１】
＜ロック制御＞
ここで、本実施の形態の電子機器の一例である携帯電話機１０は、タッチパネル制御回路３６が、タッチ操作がなされていても特定処理を実行しないようにするロック状態をとりうる。ロック状態時において、携帯電話機１０に対してタッチ操作がなされた場合、タッチ操作が検出されているがタッチ操作がされていないとみなして所定処理を実行しないケースを含む。また、タッチパネル３８の一部領域を除いてタッチ操作自体を検出されないようにすることで所定処理を実行しないケースも含む。
【００３２】
前述の特定処理とは、例えば、特定のアプリケーション（通話、メール、ゲーム、動画、写真など）の起動または実行などを示す。特定処理としては、例えば、携帯電話機１０が有するアプリケーション全てであってもよい。
【００３３】
たとえば、電源キー２６ｃが操作されてディスプレイ３０の表示が消されると、ロック状態に遷移し、特定処理を実行するためのタッチ操作が無効になる。さらに、ロック状態で、電源キー２６ｃがもう一度操作されると、ロック状態が維持されたままタッチスクリーン１の一部だけタッチ操作が検出されるようになる。そして、後述するタッチ操作が行われると、ロック状態が解除される。
【００３４】
図３（ａ）には、ロック状態におけるタッチスクリーン１の表示を示す。タッチスクリーン１には、ロック状態解除のために操作されるロック状態解除オブジェクト２が表示され、さらに、ロック状態解除オブジェクト２を操作してロックを解除するためのロック状態の解除方法が示されている。なお、図３（ａ）では、ロック状態の解除方法として「ボタンをタッチしてロック状態解除」が表示されている。
【００３５】
図３（ａ）のように、ロック状態の解除方法にしたがって、指Ａがロック状態解除オブジェクト２にタッチされると、携帯電話機１０のタッチスクリーン１の表示は、図３（ｂ）に示すようなホーム画面の表示に遷移する。なお、ホーム画面とは、電子機器に電源を入れた後に表示される画面であって、各アプリケーションを選択できうる画面をいう。例えば、図３（ｂ）のように、タッチスクリーン１には、各アプリケーションを起動させるためのアプリケーションアイコン４が複数表示されている。
【００３６】
前述した図３の例のように、このロック状態の解除方法にしたがってタッチ操作をおこなった場合、仮にロック状態に入る前に表示されていたアプリケーションが存在していたとしても、ホーム画面に遷移される。このため、もし、他人に本実施形態の電子機器を使用された場合、他人は表示されたロック状態の解除方法にしたがってロック状態の解除を行う可能性が高いため、ロック状態に入る前であって他人に見せたくないアプリケーションやウェブサイトの表示を、他人に見られる可能性が低い。
【００３７】
ただし、ユーザが図３のようにロック状態を解除する場合、ロック状態の設定前のアプリケーションやウェブサイトを再度表示させるためにホーム画面から所望の画面まで操作をする手間がかかる。そこで、本実施の形態では、表示されたロック状態の解除方法と異なる別の操作でロック状態を解除をすることで、ロック状態に入る前の表示を行うことを可能とした。図４〜６に具体例を示すが、本発明はこれらに限定されない。
【００３８】
図４（ａ）には、ロック状態の解除方法である「ボタンをタッチしてロック状態解除」の操作（第一の操作に該当）と異なり、ロック状態解除オブジェクト２を移動させる操作（第二の操作に該当）を行う例を示している。図４（ｂ）では、ロック状態解除オブジェクト２を移動させる操作をおこなった後の画面を表示している。この画面は、ロック状態に入る前に表示されていた画面である。具体的には特定の女性からの受信メールで、他人には見られたくない画面に該当する。
【００３９】
図４とは別の第二の操作（前述のように、表示されたロック状態の解除方法とは異なるロック状態の解除操作を以降第二の操作と呼ぶ）の具体例を図５に示す。図５（ａ）では、表示されたロック状態の解除方法「フリックしてロック状態解除」に従わず、ロック状態解除オブジェクト２をタッチ（例えば、長押し）することで、図４（ｂ）の受信メール画面が表示される。また、図５（ｂ）では、指Ａなどの対象物を、タッチスクリーン１の周縁からロック状態解除オブジェクト２まで移動させることで、図４（ｂ）の受信メール画面が表示される。
【００４０】
図５とは別の第二の操作の具体例として図６（ｂ）に、ロック状態解除オブジェクト２を表示しない具体例を示す。まず図６（ａ）には比較として、ロック状態解除オブジェクト２を表示せず、表示されたロック状態の解除方法「フリックしてロック状態解除」にしたがって、タッチスクリーン１のいずれかの場所で指Ａを移動させる第一の操作を示している。図６（ａ）では、上記操作により、図３（ｂ）に示すホーム画面が表示される。
【００４１】
それに対して、図６（ｂ）では、前述のロック状態の解除方法「フリックしてロック状態解除」に従わず、ロック状態の解除方法の表示をタッチ（例えば、長押し）することで、図４（ｂ）の受信メール画面が表示される。
【００４２】
図７には、第二の操作を携帯電話機１０に登録するときの画面を示す。具体的には、図４（ａ）で示した第二の操作の登録例を示している。
【００４３】
まず、第二の操作の登録画面では、図７（ａ）に示すように、タッチスクリーン１にスタート表示がされる。スタート表示が選択されると、表示されたストップ表示が選択されるまで、タッチ操作を検出する。そして、ストップ表示が選択されるまでの操作を第二の操作として設定できる。図７（ｂ）では、図４（ａ）に示したようなロック状態解除オブジェクト２をタッチスクリーン１の領域の周縁に移動させる操作を第二の操作として登録している。
【００４４】
第二の操作の登録では、ロック状態解除オブジェクト２以外のオブジェクトについてもを設定することができる。例えば、図８（ａ）では、アンテナ１２による電波受信状態を示すアイコン３ｂ、二次電池の残電池容量を示すアイコン３ｃを移動させる操作を第二の操作として登録している。また、図８（ｂ）では、現在時刻３ａを移動させる操作を第二の操作として登録している。
【００４５】
以上のように、ロック状態解除オブジェクト２以外のオブジェクトに関連するタッチ操作も第二の操作として登録され、その操作にしたがってロック状態解除を行うことができる。
【００４６】
なお、図７および８の例では、オブジェクト操作に対する登録例を示したが、登録の際、オブジェクトに対して操作する必要はなく、例えば、タッチスクリーン１上で指Ａを移動させるなどの操作であっても登録可能である。
【００４７】
上述のように、他人が操作した際に、第二の操作を他人に気付かれる可能性は低いが、偶然に、前記オブジェクトを操作できることを他人に発見されてしまう場合が考えられる。そこで、図９に示すように、ハードキーとしてキー入力部２６を押した状態ではじめて、タッチ操作を受け付けるようにしてもよい。なお、電子機器にこの方法を登録する際は、スタートを押してから指Ａ１をハードキーに押した状態で、図７および８と同様のタッチ操作を、指Ａ２を用いて行うことで登録すればよい。
【００４８】
ユーザも、前記オブジェクトの操作を登録した後に、その操作を失念してしまう場合がある。その場合、例えば、図１０に示すように、例えば、ハードキーとしてキー入力部２６などを押すことで、矢印で示すように、第二の操作の解除に設定したオブジェクトを少し移動させてユーザに知らせてもよい。なお、ユーザに知らせる方法はこれに限定されず、例えば、オブジェクトを少し点滅させてもよい。
【００４９】
以下、ロック状態設定処理などのフローを示す。プロセッサ２４は、Android（登録商
標）およびREXなどのLinux（登録商標）ベースのOSや、その他のOSの制御下で、図１１に示すロック状態移行処理、図１２に示すロック状態解除処理などを含む、複数のタスクを並列的に処理する。
【００５０】
図１１はロック状態移行処理のフロー図である。たとえば、携帯電話機１０の電源がオンにされると、プロセッサ２４はステップＳ１で、操作がされたか否かを判断する。つまり、プロセッサ２４は、タッチ操作やキー操作が一定時間内に行われたか否かを判断する。ステップＳ１で“ＮＯ”であれば、たとえば６０秒間、タッチ操作およびキー操作がされなければ、プロセッサ２４はステップＳ３に進む。一方、ステップＳ１で“ＹＥＳ”であれば、つまり無操作タイマが満了していなければ、プロセッサ２４はステップＳ２で、ロック状態に移行する操作がされたか否かを判断する。たとえば、プロセッサ２４は、電源キー２６ｃが操作されたか否かを判断する。ステップＳ２で“ＮＯ”であれば、つまりロック状態に移行する操作がされなければ、プロセッサ２４はステップＳ１に戻る。
【００５１】
一方、ステップＳ２で“ＹＥＳ”であれば、つまりロック状態に移行する操作がされれば、プロセッサ２４はステップＳ３で、ディスプレイ３０の電源をオフにする。つまり、プロセッサ２４は、ディスプレイ３０の電源をオフにする命令を、電源回路に出す。続いて、プロセッサ２４は、ステップＳ４でロック状態を設定し、ロック状態設定処理を終了する。
【００５２】
図１２は図３および４に示したロック状態の解除処理を示すフロー図である。たとえば、ロック状態が設定されているときにメニューキーが操作されると、プロセッサ２４はステップＳ５で、ロック画面を表示する。つまり、プロセッサ２４は、ディスプレイ３０の電源をオンにする命令を出した後に、図３（ａ）に示すロック画面をディスプレイ３０に表示する。
【００５３】
続いて、プロセッサ２４は、ステップＳ６でタッチされたか否かを判断する。つまり、タッチパネル制御回路３６によってタッチが検出されたか否かを判断する。ステップＳ６で“ＮＯ”であれば、つまりタッチパネル制御回路３６によってタッチが検出されていなければ、プロセッサ２４はステップＳ５の処理を繰り返し実行する。
【００５４】
また、ステップＳ６で“ＹＥＳ”であれば、つまりタッチパネル制御回路３６によってタッチが検出されていれば、プロセッサ２４はステップＳ７で、タッチパネル制御回路３６によって検出されていたタッチが検出されなくなったかどうか（リリースされたかどうか）を判断する。タッチが検出されなくなったと判断されれば、ステップＳ８にてプロセッサ２４は、図３（ｂ）に示すように、ホーム画面を表示させて処理を終了する。
【００５５】
ステップＳ７で“ＮＯ”であれば、つまりタッチパネル制御回路３６によってタッチが検出された状態が維持されていれば、プロセッサ２４は、ステップＳ９でスライドされたか否かを判断する。つまり、タッチパネル制御回路３６によってスライドが検出されたか否かを判断する。ステップＳ９で“ＮＯ”であれば、つまりタッチパネル制御回路３６によってスライドが検出されていなければ、プロセッサ２４はステップＳ７の処理を繰り返し実行する。ステップＳ９で“ＹＥＳ”であれば、つまりタッチパネル制御回路３６によってスライドが検出されていれば、プロセッサ２４はステップＳ１０で、図４（ｂ）に示すように、ロック前の画面として受信メール画面を表示させて処理を終了する。
【００５６】
以上の説明したロック状態移行および解除に関する制御は、プログラムにもとづく。これらのプログラムは、データ配信用のサーバのHDDに記憶され、ネットワークを介して携
帯電話機１０に配信されてもよい。また、CD,DVD,BD(Blu-ray Disc)などの光学ディスク
、USBメモリおよびメモリカードなどの記憶媒体にこれらのプログラムを記憶させた状態
で、その記憶媒体が販売または配布されてもよい。そして、上記したサーバや記憶媒体などを通じてダウンロードされた、それらのプログラムが、本実施例と同等の構成の電子機器にインストールされた場合、本実施例と同等の効果が得られてもよい。
【００５７】
なお、上述の例では、電子機器として携帯電話機に適用する場合を例にあげて説明したが、携帯電話機以外の電子機器にも適用することができる。例えば、電子機器としては、ゲーム機、ノートパソコン、ポータブルナビゲーションシステムなどにも本発明の技術を適用することができる。
【符号の説明】
【００５８】
１        タッチスクリーン
２        ロック状態解除オブジェクト
１０      携帯電話機
１２      アンテナ
１４      無線通信回路
２４      プロセッサ
２６      キー入力部
３４      ＲＡＭ
３６      タッチパネル制御回路
３８      タッチパネル
Ａ        指
【図１】
2015026342.tif 000003
【図２】
2015026342.tif 000004
【図３】
2015026342.tif 000005
【図４】
2015026342.tif 000006
【図５】
2015026342.tif 000007
【図６】
2015026342.tif 000008
【図７】
2015026342.tif 000009
【図８】
2015026342.tif 000010
【図９】
2015026342.tif 000011
【図１０】
2015026342.tif 000012
【図１１】
2015026342.tif 000013
【図１２】
2015026342.tif 000014